(57)【要約】【課題】コモンモードチョークコイル本体のインダクタンスと通信ＩＣ等の寄生容量との直列共振によって生じる過大なコモンモード電流が、当該通信ＩＣ等に流れ込むことを防止することが可能な終端回路付き巻線型コモンモードチョークコイルを提供する。【解決手段】コモンモードチョークコイル本体２とコモンモードチョークコイル本体２に設けられた終端回路３Ａ，３Ｂとを備える。終端回路３Ａ，３Ｂは、コモンモードチョークコイル本体２の鍔部４１，４２にそれぞれ形成された凹部４１Ａ，４２Ａ内に嵌め込まれている。抵抗部材３１，３２を絶縁体ブロック３０の両端にそれぞれ設け、グランド電極３３をこの絶縁体ブロック３０の前面中央から下面中央に渡って形成し、絶縁体ブロック３０内部のコンデンサ３４を通じて抵抗部材３１，３２とグランド電極３３とを接続することにより、各終端回路３Ａ（３Ｂ）を構成した。【選択図】図１
2010027951.tif 000002
【特許請求の範囲】
【請求項１】
巻芯部及びこの巻芯部の両端部にそれぞれ設けられた１対の鍔部を有する磁性コアと、上記各鍔部の下端部両側にそれぞれ形成された１対の外部電極と、上記磁性コアの巻芯部に巻回され且つ両端部が上記外部電極にそれぞれ接合された１対の巻線とを備えるコモンモードチョークコイル本体に、１対の終端回路を有する終端回路付き巻線型コモンモードチョークコイルであって、
上記各終端回路は、コモンモードチョークコイル本体の各鍔部の下端部に設けられ且つ一方端が当該鍔部の下端部両側の１対の外部電極にそれぞれ接続された１対の抵抗部材と、当該鍔部の下端部の中央に設けられ且つ当該１対の抵抗部材の他方端に接続されたグランド電極とを具備する、
ことを特徴とする終端回路付き巻線型コモンモードチョークコイル。
【請求項２】
請求項１に記載の終端回路付き巻線型コモンモードチョークコイルにおいて、
上記各終端回路を、
上記１対の抵抗部材を１つの絶縁体ブロックの両端にそれぞれ設け、上記グランド電極を当該絶縁体ブロックの少なくとも下部中央に設けて、上記１対の抵抗部材の他方端と接続させ、
上記コモンモードチョークコイル本体の各鍔部における下端部中央に形成した凹部に、上記絶縁体ブロックを嵌め込んで、上記１対の抵抗部材の一方端を上記１対の外部電極にそれぞれ接続することにより、
構成したことを特徴とする終端回路付き巻線型コモンモードチョークコイル。
【請求項３】
請求項１又は請求項２に記載の終端回路付き巻線型コモンモードチョークコイルにおいて、
上記各終端回路に、コンデンサを設け、当該コンデンサの一方の電極を上記１対の抵抗部材の上記他方端に接続すると共に、他方の電極を上記グランド電極に接続した、
ことを特徴とする終端回路付き巻線型コモンモードチョークコイル。
【請求項４】
請求項１ないし請求項３のいずれかに記載の終端回路付き巻線型コモンモードチョークコイルにおいて、
上記１対の終端回路のうちの一方の終端回路を構成する上記１対の抵抗部材の抵抗値と、他方の終端回路を構成する上記１対の抵抗部材の抵抗値とを、等しく設定した、
ことを特徴とする終端回路付き巻線型コモンモードチョークコイル。
【発明の詳細な説明】
【技術分野】
【０００１】
この発明は、コモンモード電流からコモンモードチョークコイルの飽和や損傷を防ぐと共にコモンモードチョークコイル後段の通信ＩＣを保護するための終端回路付き巻線型コモンモードチョークコイルに関するものである。
【背景技術】
【０００２】
従来、この種の技術としては、図１７に示すような技術がある（例えば、特許文献１参照）。
この技術は、図１７に示すように、例えば、コモンモードチョークコイル２００を、受信装置１００に設けられている通信ＩＣ（Integrated Circuit）１１０の前段に配すると共に、コモンモード電流用の終端回路２１０をコモンモードチョークコイル２００の前段に設けた構成になっている。
具体的には、差動信号を伝送する差動伝送路１０１，１０２に接続された線路パターン１１１，１１２が、受信装置１００内の通信ＩＣ１１０の入力部に接続され、コモンモード電流を低減するためのコモンモードチョークコイル２００が、線路パターン１１１，１１２上に実装されている。そして、コモンモード電流の低減効率を高めるための終端回路２１０がコモンモードチョークコイル２００の前段に構成されている。この終端回路２１０は、線路パターン１１１，１１２からそれぞれ分岐して接地された２つの抵抗Ｒ１で形成されており、差動伝送路１０１，１０２から線路パターン１１１，１１２に流入した同方向のコモンモード電流を抵抗Ｒ１を通じてグランドに流出する機能を有している。
【０００３】
【特許文献１】特開２００２−２６１８４２号公報
【発明の開示】
【発明が解決しようとする課題】
【０００４】
しかし、上記した従来の技術では、次のような問題がある。
図１８は、従来技術の問題点を説明するための説明図である。
上記した従来の技術は、コモンモード電流が差動伝送路１０１，１０２から受信装置１００の通信ＩＣ１１０に侵入するノイズ量を低減するので、イミュニティ効果を上げる働きがある。しかしながら、図１８に示すように、受信装置１００（図１７参照）内の通信ＩＣ１１０等は、その作動時において、寄生容量１１３，１１４を内部に有する状態となる。このため、コモンモードチョークコイル２００におけるコモンモードインダクタンスと通信ＩＣ１１０の寄生容量１１３（１１４）との直列共振回路が形成され、その共振周波数付近のコモンモード電流に対して、直列共振回路のインピーダンスが非常に低くなる。この結果、当該周波数を有した過大なコモンモード電流が通信ＩＣ１１０に流れ込み、通信ＩＣ１１０の誤動作を誘発させるおそれがある。
【０００５】
この発明は、上述した課題を解決するためになされたもので、コモンモードチョークコイル本体のインダクタンスと通信ＩＣ等の寄生容量との直列共振によって生じる過大なコモンモード電流が、当該通信ＩＣ等に流れ込むことを防止することが可能な終端回路付き巻線型コモンモードチョークコイルを提供することを目的とする。
【課題を解決するための手段】
【０００６】
上記課題を解決するために、請求項１の発明は、巻芯部及びこの巻芯部の両端部にそれぞれ設けられた１対の鍔部を有する磁性コアと、各鍔部の下端部両側にそれぞれ形成された１対の外部電極と、磁性コアの巻芯部に巻回され且つ両端部が外部電極にそれぞれ接合された１対の巻線とを備えるコモンモードチョークコイル本体に、１対の終端回路を有する終端回路付き巻線型コモンモードチョークコイルであって、各終端回路は、コモンモードチョークコイル本体の各鍔部の下端部に設けられ且つ一方端が当該鍔部の下端部両側の１対の外部電極にそれぞれ接続された１対の抵抗部材と、当該鍔部の下端部の中央に設けられ且つ当該１対の抵抗部材の他方端に接続されたグランド電極とを具備する構成とした。
かかる構成により、例えば、受信装置側の通信ＩＣに接続された差動伝送路の線路パターンに各鍔部の下端部両側にそれぞれ形成された１対の外部電極を接続すると共に、各終端回路のグランド電極を接地することで、この発明のコモンモードチョークコイルを通信ＩＣの前段に実装することができる。
このとき、コモンモードチョークコイル本体の１対の鍔部にそれぞれ設けられた１対の終端回路のそれぞれが、各鍔部の下端部に設けられ且つ一方端が鍔部の下端部両側の１対の外部電極にそれぞれ接続された１対の抵抗部材と、鍔部の下端部の中央に設けられ且つ１対の抵抗部材の他方端に接続されたグランド電極とを具備しているので、１対の終端回路の一方が、コモンモードチョークコイル本体の入力側の前段に配置され、他方が、出力側の後段に接続された状態になる。これにより、送信装置側から受信装置側に向かう線路パターン上の電流は、コモンモードチョークコイル本体入力側の終端回路とコモンモードチョークコイル本体とコモンモードチョークコイル本体出力側の終端回路とを通じて通信ＩＣの入力部に向かうこととなる。
この結果、線路パターンに流入したコモンモード電流は、入力側の終端回路によって、グランドに流出される。
ところが、通信ＩＣが寄生容量を内部に有し、コモンモードチョークコイル本体の巻線のインダクタンスと当該寄生容量との直列共振回路を形成した場合には、その共振周波数付近の周波数を有した過大なコモンモード電流がコモンモードチョークコイル本体を通じて通信ＩＣに流れ込むおそれがある。
しかしながら、この発明では、上記したように、コモンモードチョークコイルを実装すると、一方の終端回路がコモンモードチョークコイル本体の入力側に配されるだけでなく、他方の終端回路がコモンモードチョークコイル本体の出力側と通信ＩＣとの間に配された状態になる。このため、上記直列共振回路の共振時にコモンモードチョークコイル本体を通じて通信ＩＣ側に流れ込もうとする過大なコモンモード電流は、コモンモードチョークコイル本体出力側の終端回路によって、グランドに流出される。
【０００７】
請求項２の発明は、  請求項１に記載の終端回路付き巻線型コモンモードチョークコイルにおいて、各終端回路を、１対の抵抗部材を１つの絶縁体ブロックの両端にそれぞれ設け、グランド電極を当該絶縁体ブロックの少なくとも下部中央に設けて、１対の抵抗部材の他方端と接続させ、コモンモードチョークコイル本体の各鍔部における下端部中央に形成した凹部に、絶縁体ブロックを嵌め込んで、１対の抵抗部材の一方端を１対の外部電極にそれぞれ接続することにより構成した。
かかる構成により、１対の抵抗部材とグランド電極とが設けられた１つの絶縁体ブロックを鍔部の凹部に嵌め込んで、抵抗部材の一方端を外部電極にそれぞれ接続するだけで、終端回路のコモンモードチョークコイル本体への取り付け作業を終了することができる。
【０００８】
請求項３の発明は、請求項１又は請求項２に記載の終端回路付き巻線型コモンモードチョークコイルにおいて、各終端回路に、コンデンサを設け、コンデンサの一方の電極を１対の抵抗部材の他方端に接続すると共に、他方の電極をグランド電極に接続した構成とする。
かかる構成により、終端回路のコンデンサの機能によって、直流電流がグランドに流れ込むのを防ぎ、かつ交流のノイズをグランドに落とすことができる。
【０００９】
請求項４の発明は、請求項１ないし請求項３のいずれかに記載の終端回路付き巻線型コモンモードチョークコイルにおいて、１対の終端回路のうちの一方の終端回路を構成する１対の抵抗部材の抵抗値と、他方の終端回路を構成する１対の抵抗部材の抵抗値とを、等しく設定した構成とする。
【発明の効果】
【００１０】
以上詳しく説明したように、この発明の終端回路付き巻線型コモンモードチョークコイルによれば、コモンモードチョークコイル本体の巻線のインダクタンスと通信ＩＣ等の寄生容量との直列共振回路の共振時における過大なコモンモード電流は、出力側であって通信ＩＣ前段に位置する終端回路によってグランドに流出されるので、過大なコモンモード電流の流入による通信ＩＣ等の誤動作を確実に防止することができるという優れた効果がある。
また、１対の終端回路をコモンモードチョークコイル本体の１対の鍔部にそれぞれ設けた構成であるので、コモンモードチョークコイルを差動伝送路上に実装して、終端回路にグランド電極を接地するだけで、差動伝送路上への終端回路の実装作業を終了する。このため、従来の技術のように、終端回路の部材をいちいち差動伝送路上に取り付ける作業を必要とせず、この結果、実装面積の狭小化と実装コストの低減化とを図ることができるという効果がある。
【００１１】
また、請求項２の発明によれば、１つの絶縁体ブロックを鍔部の凹部に嵌め込んで、抵抗部材の一方端を外部電極にそれぞれ接続するだけで、終端回路のコモンモードチョークコイル本体への取り付け作業が終了するので、製造作業の効率化と製造コストの更なる低減化とを図ることができるという効果がある。
【００１２】
また、請求項３の発明によれば、直流電流がグランドに流れ込むのを防ぐことができ、かつ交流ノイズをグランドに落とすことができるため、差動伝送路の平均電圧がグランド電位と異なっている場合にも対応できる。
【発明を実施するための最良の形態】
【００１３】
以下、この発明の最良の形態について図面を参照して説明する。
【実施例１】
【００１４】
図１は、この発明の一実施例に係る終端回路付き巻線型コモンモードチョークコイルを裏返して示す斜視図であり、図２は、この実施例のコモンモードチョークコイルの斜視図である。
【００１５】
図１及び図２に示すように、終端回路付き巻線型コモンモードチョークコイル１は、１対の終端回路３Ａ，３Ｂをコモンモードチョークコイル本体２に設けた構成になっている。
【００１６】
コモンモードチョークコイル本体２は、表面実装型の巻線コイルであり、磁性コア４と、４つの外部電極５−１〜５−４と、１対の巻線６−１，６−２と、天板７とを備えている。
磁性コア４は、Ni-Zn系フェライト等のフェライトで形成されており、中央の巻芯部４０とその両端に設けられた１対の鍔部４１，４２とで構成されている。
外部電極５−１，５−２（５−３，５−４）は、鍔部４１（４２）の下端部両側に形成されている。具体的には、図１に示すように、外部電極５−１，５−２が鍔部４１の脚部４１ａ，４１ｂにそれぞれ形成され、外部電極５−３，５−４が鍔部４２の脚部４２ａ，４２ｂにそれぞれ形成されている。
１対の巻線６−１，６−２は、それぞれ銅線を絶縁膜で被覆して成るラインであり、磁性コア４の巻芯部４０に巻回されている。そして、巻線６−１，６−２の端部６−１ａ，６−２ａが外部電極５−１，５−２側に引き出されて、外部電極５−１，５−２にそれぞれ接合されると共に、巻線６−１，６−２の端部６−１ｂ，６−２ｂが外部電極５−３，５−４側に引き出されて、外部電極５−３，５−４にそれぞれ接合されている。
天板７は、Mn-Zn系フェライト、Ni-Zn系フェライト等のフェライトで形成され、鍔部４１，４２に架けられ、接着剤７０で接合されている。
【００１７】
一方、終端回路３Ａ，３Ｂは、コモンモードチョークコイル本体２の鍔部４１，４２にそれぞれ形成された凹部４１Ａ，４２Ａ内に嵌め込まれている。
図３は、終端回路３Ａ，３Ｂを鍔部４１，４２の凹部４１Ａ，４２Ａから取り出した状態をコモンモードチョークコイルの裏側から示す斜視図である。
図３に示すように、凹部４１Ａ（４２Ａ）は、鍔部４１（４２）の下端部中央、即ち、脚部４１ａ，４１ｂ（４２ａ，４２ｂ）の間に形成され、直方体状の終端回路３Ａ（３Ｂ）の形状に対応した形状に設定されている。
【００１８】
図４は、コンデンサの電極を透過して示す終端回路３Ａ（３Ｂ）の透過斜視図であり、図５は、終端回路３Ａ（３Ｂ）を裏面側から見た透過斜視図である。
図４に示すように、終端回路３Ａ（３Ｂ）は、１対の抵抗部材３１，３２が１つの絶縁体ブロック３０の両端にそれぞれ設けられ、グランド電極３３がこの絶縁体ブロック３０の前面中央から下面中央に渡って形成された構成になっている。なお、各終端回路３Ａ（３Ｂ）の抵抗部材３１，３２の抵抗値は等しく、また、終端回路３Ａにおける抵抗部材３１，３２の抵抗値と終端回路３Ｂにおける抵抗部材３１，３２の抵抗値は等しく設定されている。
具体的には、誘電体セラミックス等を直方体にすることで、絶縁体ブロック３０を形成した。この絶縁体ブロック３０の両側面に、ガラスと金属粉の混合ペースト等の高抵抗材料で形成した抵抗部材３１，３２を固着させた。そして、Ｌ字状のグランド電極３３を絶縁体ブロック３０の前面３０ａと下面３０ｂとに渡って形成した。
【００１９】
このような終端回路３Ａ（３Ｂ）における抵抗部材３１，３２の他方端３１ｂ，３２ｂは、コンデンサ３４を通じてグランド電極３３に電気的に接続されている。
図６は、図４の矢視Ａ−Ａ断面図であり、図７は、図４の矢視Ｂ−Ｂ断面図である。
図４及び図５に示したように、コンデンサ３４は、平行な１対の電極３５，３６で成る。
具体的には、図６に示すように、電極３５，３６は、絶縁体ブロック３０内に上下に平行に形成されており、上側の電極３５の両端３５ａが絶縁体ブロック３０の両側面に露出され、図７に示すように、下側の電極３６の前側の突出部３６ａが絶縁体ブロック３０の前面３０ａに露出されている。そして、図６に示すように、電極３５の両端３５ａが、抵抗部材３１，３２の他方端３１ｂ，３２ｂに電気的に接続され、図７に示すように、電極３６の突出部３６ａがグランド電極３３に電気的に接続されている。
【００２０】
図８は、終端回路３Ａ（３Ｂ）が鍔部４１（４２）に装着された状態を示す正面図であり、図９は、終端回路３Ａ（３Ｂ）と外部電極５−１，５−２（５−３，５−４）との電気的接続状態を示す部分拡大断面図であり、図１０は、終端回路付き巻線型コモンモードチョークコイル１の等価回路図である。
上記構成の終端回路３Ａ（３Ｂ）は、図８に示すように、抵抗部材３１，３２を外部電極５−１，５−２（５−３，５−４）側に向けると共に、絶縁体ブロック３０の上面３０ｃを鍔部４１（４２）の凹部４１Ａ（４２Ａ）側に向けた状態で、凹部４１Ａ（４２Ａ）に嵌め込まれている。そして、図９に示すように、抵抗部材３１，３２の一方端３１ａ，３２ａと外部電極５−１，５−２（５−３，５−４）とが図示しない半田などによって電気的に接続されている。
これにより、巻線６−１の端部が接続された外部電極５−１（５−３）が終端回路３Ａ（３Ｂ）の抵抗部材３１に接続され、この抵抗部材３１がコンデンサ３４を通じてグランド電極３３に接続されると共に、巻線６−２の端部が接続された外部電極５−２（５−４）が終端回路３Ａ（３Ｂ）の抵抗部材３２に接続され、この抵抗部材３２がコンデンサ３４を通じてグランド電極３３に接続された構造になる。電気回路的には、図１０に示すような回路構造になる。
すなわち、この実施例によれば、ブロック状の終端回路３Ａ，３Ｂを凹部４１Ａ，４２Ａに嵌め込んで、抵抗部材３１，３２の一方端３１ａ，３２ａと外部電極５−１，５−２（５−３，５−４）とを接続するだけで、終端回路３Ａ，３Ｂのコモンモードチョークコイル本体２への装着作業が終了するので、終端回路付き巻線型コモンモードチョークコイル１の製造作業の効率化と製造コストの低減化とを図ることができる。
【００２１】
次に、この実施例のコモンモードチョークコイルが示す作用及び効果について説明する。
図１１は、終端回路付き巻線型コモンモードチョークコイル１の実装状態を示す概略斜視図であり、図１２は、終端回路付き巻線型コモンモードチョークコイル１の実装時の等価回路図である。
図１１に示すように、終端回路付き巻線型コモンモードチョークコイル１を、受信装置１００の通信ＩＣ１１０に引き込まれた線路パターン１１１，１１２上に実装する。具体的には、コモンモードチョークコイル本体２の外部電極５−１〜５−４を、線路パターン１１１，１１２にそれぞれ載せて半田付けすると共に、終端回路３Ａ，３Ｂのグランド電極３３，３３を、図示しないグランドに接続されたランド１１５，１１５上に載せて半田付けする。
これにより、終端回路付き巻線型コモンモードチョークコイル１が通信ＩＣ１１０の通信ＩＣの前段に実装される。この結果、図１２に示すように、終端回路３Ａが、コモンモードチョークコイル本体２の入力側の前段に配置され、終端回路３Ｂが、出力側、即ち、通信ＩＣ１１０の前段に配置された状態になる。
このように、この実施例の終端回路付き巻線型コモンモードチョークコイル１によれば、終端回路付き巻線型コモンモードチョークコイル１を線路パターン１１１，１１２とランド１１５に載せて、外部電極５−１〜５−４やグランド電極３３をこれらのパターンに半田付けするだけで、コモンモードチョークコイル本体２と終端回路３Ａ，３Ｂとを差動伝送路に同時に実装することができる。
図１７等で示した従来の技術では、コモンモードチョークコイル２００の線路パターン１１１，１１２への実装の他に、終端回路２１０を複数の抵抗部品Ｒ１やコンデンサ部品を線路パターン１１１，１１２上に組み付けて実装しなければならない。したがって、この実施例の終端回路付き巻線型コモンモードチョークコイル１では、図１１に示すように、１つ部品を実装するだけで、コモンモードチョークコイル本体２や終端回路３Ａ，３Ｂの全ての実装が終了するので、実装面積の狭小化と実装コストの低減化とを図ることができる。
【００２２】
かかる実装状態で、図１２に示す差動伝送路１０１，１０２を線路パターン１１１，１１２に接続し、差動信号を差動伝送路１０１，１０２に出力すると、差動信号は、線路パターン１１１，１１２から終端回路付き巻線型コモンモードチョークコイル１に入力し、終端回路付き巻線型コモンモードチョークコイル１を通過して、通信ＩＣ１１０に入力する。
また、コモンモード電流Ｎ，Ｎが差動伝送路１０１，１０２に侵入し、線路パターン１１１，１１２から外部電極５−１，５−２を通じて終端回路付き巻線型コモンモードチョークコイル１に入り込むと、各コモンモード電流Ｎ（Ｎ）は、終端回路３Ａの抵抗部材３１（３２）からコンデンサ３４を通じてグランド電極３３に送り込まれ、ランド１１５を通じてグランドに流出される。
【００２３】
ところが、通信ＩＣ１１０が寄生容量１１３，１１４を内部に有する場合には、コモンモードチョークコイル本体２の巻線６−１（６−２）のインダクタンスと寄生容量１１３（１１４）との直列共振回路が形成される場合がある。かかる場合には、この直列共振回路のインピーダンスが非常に低くなり、直列共振回路の共振周波数を有した過大なコモンモード電流が、終端回路３Ａやコモンモードチョークコイル本体２を通過して、通信ＩＣ１１０に流れ込むおそれがある。
しかしながら、上記したように、この実施例では、終端回路付き巻線型コモンモードチョークコイル１を線路パターン１１１，１１２に実装すると、終端回路３Ａをコモンモードチョークコイル本体２の入力側に配しただけでなく、終端回路３Ｂをコモンモードチョークコイル本体２の出力側と通信ＩＣ１１０との間に配した状態になる。このため、巻線６−１（６−２）と寄生容量１１３（１１４）との直列共振回路に共振した過大なコモンモード電流Ｎ１（Ｎ１）は、外部電極５−３（５−４）から通信ＩＣ１１０前段の終端回路３Ｂに送り込まれ、抵抗部材３１（３２）からコンデンサ３４を通じてグランド電極３３に流れ、ランド１１５を通じてグランドに流出される。
【００２４】
以上のように、この実施例の終端回路付き巻線型コモンモードチョークコイル１によれば、通常時のコモンモード電流Ｎ，Ｎに対しては、入力側の終端回路３Ａによって、グランドに流出し、コモンモードチョークコイル本体２の巻線６−１（６−２）と寄生容量１１３（１１４）との直列共振回路の共振時のおける過大なコモンモード電流Ｎ１，Ｎ１に対しては、コモンモードチョークコイル本体２の出力側であって通信ＩＣ１１０前段に位置する終端回路３Ｂによって、確実にグランドに流出させるので、コモンモード電流Ｎ１，Ｎ１の流入による通信ＩＣ１１０の誤動作を防止することができる。
【００２５】
発明者等は、かかる効果を確認すべく、次のような試験を行った。
図１３は、イミュニティ試験の１つであるＢＣＩ試験のシステム図であり、図１４は、従来型の実装構造の評価基板を示す等価回路図であり、図１５は、改善型の実装構造の評価基板を示す等価回路図であり、図１６は、試験結果を示す比較表図である。
図１３に示すように、このＢＣＩ（Bulk Current Injection）試験では、２枚の評価基板１００′を用い、電源２１０の電源電圧１２Ｖ（ボルト）を疑似電源回路網２１１を通じて各評価基板１００′に供給しながら、差動伝送路１０１，１０２で接続した２枚の評価基板１００′間で、差動信号の通信を行った。
かかる状態で、各種の周波数のコモンモード電流を、差動伝送路１０１，１０２の中央部に設置したインジェクションプローブ３００から差動伝送路１０１，１０２に注入し、各周波数における評価基板１００′の通信誤動作の有無を調べた。なお、符号３０１はモニタリングプローブである。また、２枚の評価基板１００′のうちの少なくとも一方が誤動作を生じたときには、図１６において、「×」で示し、いずれの評価基板１００′も誤動作しなかったときには、「○」で示している。
注入するコモンモード電流の周波数は、１〜２０ＭＨｚに設定した。
まず、従来型の評価基板１００′を用いて試験を行った。
この評価基板１００′は、車載ＬＡＮのＣＡＮＢＵＳの通信回路に、従来型の終端回路やコモンモードチョークコイルを実装した基板である。具体的には、図１４に示すように、差動伝送路１０１，１０２と通信ＩＣ１１０との間の線路パターン１１１，１１２にコモンモードチョークコイル本体２を実装した。そして、このコモンモードチョークコイル本体２の入力側に、それぞれが３．９ｋΩの２つの抵抗部品Ｒ１と４７００ｐＦのコンデンサ部品Ｃとを組み付けて終端回路２１０′を構成し、その前段に、１２０Ωのノーマルモード用抵抗部品Ｒを取り付けた。
かかる評価基板１００′をＢＣＩ試験したところ、図１６に示すように、周波数１〜４ＭＨｚのコモンモード電流に対して評価基板１００′の通信ＩＣ１１０が誤動作を起こした。
次に、改善型の評価基板１００′を用いて試験を行った。
この評価基板１００′は、車載ＬＡＮのＣＡＮＢＵＳの通信回路に、改善型の終端回路やコモンモードチョークコイルを実装した基板である。具体的には、図１５に示すように、線路パターン１１１，１１２にコモンモードチョークコイル本体２を実装した。そして、このコモンモードチョークコイル本体２の入力側に、それぞれが７．８ｋΩの２つの抵抗部品Ｒ２とコンデンサ部品Ｃとを組み付けて終端回路３Ａ′を構成し、コモンモードチョークコイル本体２の出力側と通信ＩＣ１１０の後段との間に、２つの抵抗部品Ｒ２とコンデンサ部品Ｃとを組み付けて終端回路３Ｂ′を構成した。また、従来型と同様に、ノーマルモード用の抵抗部品Ｒを終端回路３Ａ′の前段に取り付けた構造になっている。
この評価基板１００′に適用された終端回路３Ａ′，３Ｂ′は、この実施例に適用された終端回路３Ａ，３Ｂのようにブロック化してコモンモードチョークコイル本体２に装着されたものではないが、電気回路的には、実施例の終端回路付き巻線型コモンモードチョークコイル１を実装した場合と同構造になる。また、抵抗部品Ｒ２の抵抗値は、従来型の評価基板に適用された抵抗部品Ｒ１の２倍であり、終端回路３Ａ，３Ｂの抵抗部材３１，３２と同じ抵抗値である。
かかる評価基板１００′をＢＣＩ試験したところ、図１６に示すように、この評価基板１００′が誤動作を起こすコモンモード電流の周波数範囲が１〜２．５ＭＨｚの範囲に狭まった。
【００２６】
なお、この発明は、上記実施例に限定されるものではなく、発明の要旨の範囲内において種々の変形や変更が可能である。
例えば、上記実施例では、終端回路３Ａ，３Ｂにコンデンサ３４を設けた例を示したが、コンデンサを有しない終端回路を用いた終端回路付き巻線型コモンモードチョークコイルを、この発明から除外する意ではない。
また、上記実施例では、絶縁体ブロック３０に抵抗部材３１，３２，グランド電極３３，コンデンサ３４を組み付けた終端回路３Ａ，３Ｂを有する終端回路付き巻線型コモンモードチョークコイル１を例示したが、絶縁体ブロック３０を用いずに１対の抵抗部材，グランド電極，コンデンサを鍔部に直接取り付けた終端回路付き巻線型コモンモードチョークコイルも、この発明の範囲に含まれることは勿論である。
【図面の簡単な説明】
【００２７】
【図１】この発明の一実施例に係る終端回路付き巻線型コモンモードチョークコイルを裏返して示す斜視図である。
【図２】この実施例のコモンモードチョークコイルの斜視図である。
【図３】終端回路を鍔部の凹部から取り出した状態をコモンモードチョークコイルの裏側から示す斜視図である。
【図４】コンデンサの電極を透過して示す終端回路の透過斜視図である。
【図５】終端回路を裏面側から見た透過斜視図である。
【図６】図４の矢視Ａ−Ａ断面図である。
【図７】図４の矢視Ｂ−Ｂ断面図である。
【図８】終端回路が鍔部に装着された状態を示す正面図である。
【図９】終端回路と外部電極との電気的接続状態を示す部分拡大断面図である。
【図１０】終端回路付き巻線型コモンモードチョークコイルの等価回路図である。
【図１１】終端回路付き巻線型コモンモードチョークコイルの実装状態を示す概略斜視図である。
【図１２】終端回路付き巻線型コモンモードチョークコイルの実装時の等価回路図である。
【図１３】イミュニティ試験の１つであるＢＣＩ試験のシステム図である。
【図１４】従来型の実装構造の評価基板を示す等価回路図である。
【図１５】改善型の実装構造の評価基板を示す等価回路図である。
【図１６】試験結果を示す比較表図である。
【図１７】従来の技術を示す等価回路図である。
【図１８】従来技術の問題点を説明するための説明図である。
【符号の説明】
【００２８】
１…終端回路付き巻線型コモンモードチョークコイル、  ２…コモンモードチョークコイル本体、  ３Ａ，３Ｂ…終端回路、  ４…磁性コア、  ５−１〜５−４…外部電極、  ６−１，６−２…巻線、  ７…天板、  ３０…絶縁体ブロック、  ３０ａ…前面、  ３０ｂ…下面、  ３０ｃ…上面、  ３１，３２…抵抗部材、  ３１ａ，３２ａ…一方端、  ３１ｂ，３２ｂ…他方端、  ３３…グランド電極、  ３４…コンデンサ、  ３５，３６…電極、  ３５ａ…両端、  ３６ａ…突出部、  ４０…巻芯部、  ４１，４２…鍔部、  ４１Ａ，４２Ａ…凹部、  ４１ａ，４１ｂ，４２ａ，４２ｂ…脚部、  ７０…接着剤、  １００…受信装置、  １００′評価基板、  １０１，１０２…差動伝送路、  １１０…通信ＩＣ、  １１１，１１２…線路パターン、  １１３，１１４…寄生容量、  １１５…ランド。
【図１】
2010027951.tif 000003
【図２】
2010027951.tif 000004
【図３】
2010027951.tif 000005
【図４】
2010027951.tif 000006
【図５】
2010027951.tif 000007
【図６】
2010027951.tif 000008
【図７】
2010027951.tif 000009
【図８】
2010027951.tif 000010
【図９】
2010027951.tif 000011
【図１０】
2010027951.tif 000012
【図１１】
2010027951.tif 000013
【図１２】
2010027951.tif 000014
【図１３】
2010027951.tif 000015
【図１４】
2010027951.tif 000016
【図１５】
2010027951.tif 000017
【図１６】
2010027951.tif 000018
【図１７】
2010027951.tif 000019
【図１８】
2010027951.tif 000020